(57)【要約】【課題】低コスト化を図ることができるスプレー構造を提供する。【解決手段】キャップ１４外側の操作部８２を押操作すると、レバー部８４がキャップ１４に支持された軸部９２を中心に回動する。すると、係合部９３が噴出ノズル６１の自由端部をスプレー本体１１側へ変位させ、ノズル１３をスプレー本体１１側へ後退して薬剤を噴出することができる。このように、操作ボタン８１を押操作した際の操作力によってノズル１３を後退させることができるので、ノズル１３を軸方向に後退した際に薬剤を噴出する一般的なプッシュダウンタイプのバルブを備えたスプレー本体１１を使用することができる。【選択図】図１
2008136889.tif 000002
【特許請求の範囲】
【請求項１】
スプレー本体より延出したノズルを包囲するキャップの側部に突出したボタンを側方から押操作して前記スプレー本体内の薬剤を前記ノズルから噴出するスプレー装置において、
前記ボタンを押操作する操作力を、前記ノズルを前記スプレー本体側へ後退させる力に方向転換する方向転換部を備えたことを特徴とするスプレー装置。
【請求項２】
前記キャップに前記ノズルと接続される噴出ノズルを軸方向へ揺動可能に支持する一方、
前記ボタンを、前記キャップの外側に配置される操作部と、該操作部より前記キャップ内へ延出したレバー部とで構成し、
該レバー部に、前記キャップに回動自在に支持される支点と、前記キャップに支持された前記噴出ノズルの自由端部に係合する係合部とを設定するとともに、前記操作部が押操作されて前記レバー部が前記支点を中心に回動した際に前記係合部が前記噴出ノズルの前記自由端部を前記スプレー本体側へ変位させるように、前記支点を境とする一方側に前記操作部を設け、かつ前記支点を境とする他方側に前記係合部を設けたことを特徴とする請求項１記載のスプレー装置。
【請求項３】
前記薬剤を案内する筒状のノズル部を、前記噴出ノズルに設定された前記キャップへの支持点と前記自由端部との中途部に設けるとともに、前記ノズル部を境とした前記操作部側に前記自由端部を設定し、該自由端部と逆側に前記キャップに支持された前記支持点を設定したことを特徴とする請求項２記載のスプレー装置。
【発明の詳細な説明】
【技術分野】
【０００１】
本発明は、芳香剤、消臭剤、殺虫剤等の薬剤を噴霧するスプレー装置に関する。
【背景技術】
【０００２】
従来、トイレや居住空間内で使用する芳香剤、消臭剤、殺虫剤としては、スプレータイプのものが知られている。
【０００３】
このスプレータイプの芳香剤等は、薬剤と共に圧縮ガスや液化ガス等の噴射剤がスプレー本体内に収容されており、該スプレー本体に設けられた噴出ノズルから噴霧されるように構成されている。
【０００４】
このようなスプレー装置としては、スプレー本体上部に嵌着されたキャップの側面に、噴射ボタンが設けられたものが知られている（例えば、特許文献１〜３参照。）。
【０００５】
該噴射ボタンの裏面に設けられた突出部は、内側へ向けて延出しており、スプレー本体の中央部には、上方に延出したノズルが設けられている。該ノズルには、前記噴出ノズルが嵌着されており、前記ノズルから噴出された液状薬剤を上方へ噴出できるように構成されている。
【０００６】
これにより、前記噴射ボタンを側面側から押圧操作して前記ノズルを側方へ傾倒することで、前記キャップ上面より上方へ向けて前記液状薬剤を噴霧できるように構成されている。
【０００７】
この様な側面に噴射ボタンを備えたスプレーは、手に持って操作することはもちろん、スプレーの背面を壁の壁面に固定した状態であっても、噴射ボタンを容易に操作することができ、幅広い用途に利用されるものである。
【特許文献１】実開昭６２−１０９７６０号公報
【特許文献２】実開平０１−１７０４６９号公報
【特許文献３】実開平０３−０３５４１１号公報
【発明の開示】
【発明が解決しようとする課題】
【０００８】
しかしながら、このようなスプレー装置にあっては、ノズルが傾倒された際に液状薬剤を噴出するチルトタイプのバルブを備えたスプレー本体が必要であった。
【０００９】
このチルトタイプのスプレー本体は、ノズルを軸方向に後退した際に液状薬剤を噴出する一般的なプッシュダウンタイプのバルブを備えたスプレー本体と比較して、コスト高になるという問題があった。
【００１０】
また、チルトバルブのスプレー本体を用いたスプレー装置では、チルトバルブを噴射ボタンの押圧方向に傾斜させて噴霧するため、例えば、壁に掛けて使用する場合、壁方向に噴霧してしまう。そうすると、噴霧された薬剤により壁を汚してしまったり、空間方向に効率的に薬剤を付与できないといった問題を有していた。
【００１１】
本発明は、このような従来の課題に鑑みてなされたものであり、低コスト化を図ることができるスプレー構造を提供することを目的とするものである。
【課題を解決するための手段】
【００１２】
前記課題を解決するために本発明の請求項１のスプレー装置にあっては、スプレー本体より延出したノズルを包囲するキャップの側部に突出したボタンを側方から押操作して前記スプレー本体内の薬剤を前記ノズルから噴出するスプレー装置において、前記ボタンを押操作する操作力を、前記ノズルを前記スプレー本体側へ後退させる力に方向転換する方向転換部を備えている。
【００１３】
すなわち、前記キャップの側部に突出したボタンを側方から押操作した際には、方向転換部によって、その操作力が前記ノズルを前記スプレー本体側へ後退させる力に方向転換される。
【００１４】
このため、ノズルを軸方向に後退した際に薬剤を噴出するプッシュダウンタイプのバルブを備えたスプレー本体の使用が可能となる。
【００１５】
また、請求項２のスプレー装置においては、前記キャップに前記ノズルと接続される噴出ノズルを軸方向へ揺動可能に支持する一方、前記ボタンを、前記キャップの外側に配置される操作部と、該操作部より前記キャップ内へ延出したレバー部とで構成し、該レバー部に、前記キャップに回動自在に支持される支点と、前記キャップに支持された前記噴出ノズルの自由端部に係合する係合部とを設定するとともに、前記操作部が押操作されて前記レバー部が前記支点を中心に回動した際に前記係合部が前記噴出ノズルの前記自由端部を前記スプレー本体側へ変位させるように、前記支点を境とする一方側に前記操作部を設け、かつ前記支点を境とする他方側に前記係合部を設けた。
【００１６】
すなわち、前記キャップの外側に配置されたボタンの操作部を押操作した際には、前記ボタンのレバー部が、前記キャップに支持された支点を中心に回動する。
【００１７】
このとき、前記操作部は、前記支点を境とする一方側に設けられており、前記支点の他方側には、前記キャップに支持された前記噴出ノズルの自由端部と係合する係合部が設けられている。
【００１８】
このため、前記レバー部の前記支点を中心とした回動に伴って、前記係合部が前記噴出ノズルの前記自由端部を前記スプレー本体側へ変位させる。これにより、該スプレー本体より延出した前記ノズルが当該スプレー本体側へ後退され、薬剤が噴出される。
【００１９】
さらに、請求項３のスプレー装置では、前記薬剤を案内する筒状のノズル部を、前記噴出ノズルに設定された前記キャップへの支持点と前記自由端部との中途部に設けるとともに、前記ノズル部を境とした前記操作部側に前記自由端部を設定し、該自由端部と逆側に前記キャップに支持された前記支持点を設定した。
【００２０】
すなわち、前記噴出ノズルには、前記キャップへの支持点と前記自由端部との中途部に前記薬剤を案内するノズル部が設けられており、このノズル部で前記薬剤を案内して噴出することができる。
【００２１】
このとき、前記ボタンの前記レバー部で操作される前記噴出ノズルの前記自由端部は、前記ノズル部を境とした前記操作部側に設定されており、この自由端部と逆側に前記キャップに支持された前記支持点が設定されている。
【００２２】
このため、前記ボタンを操作して前記自由端部を前記スプレー本体側へ変位させた際には、前記ノズル部が前記操作部側へ傾倒される。
【発明の効果】
【００２３】
以上説明したように本発明の請求項１のスプレー装置にあっては、前記キャップの側部に突出したボタンを側方から押操作した際の操作力によって、前記ノズルを前記スプレー本体側へ後退させることができる。このため、ノズルを軸方向に後退した際に薬剤を噴出する一般的なプッシュダウンタイプのバルブを備えたスプレー本体を使用することができる。
【００２４】
したがって、ノズルが傾倒された際に薬剤を噴出する高価なチルトタイプのバルブを備えたスプレー本体の使用が不可欠であった従来と比較して、一般的なプッシュダウンタイプのバルブを備えたスプレー本体を使用することができ、低コスト化を図ることができる。
【００２５】
また、請求項２のスプレー装置においては、このように構成することで前記ボタンを押操作する操作力を前記ノズルを前記スプレー本体側へ後退させる力に方向転換する前記方向転換部を形成することができる。
【００２６】
さらに、請求項３のスプレー装置では、前記ボタンを操作して前記噴出ノズルの自由端部を前記スプレー本体側へ変位させた際に、前記ノズル部を前記操作部側へ傾倒することができる。
【００２７】
このように、プッシュダウンタイプのバルブを備えたスプレー本体を使用した場合であっても、前記ノズル部を前記操作部側に傾倒することによって、薬剤を前記操作部側へ傾斜した斜め方向に噴出することができる。
【００２８】
したがって、当該スプレー装置を壁面に設置した場合には、前記薬剤の壁面への吹き付けを防止することができるとともに、空間に効率よく薬剤を噴霧させることができる。
【発明を実施するための最良の形態】
【００２９】
以下、本発明の一実施の形態を図に従って説明する。図１は、本実施の形態にかかるスプレー装置１を示す図であり、このスプレー装置１としては、トイレなどで使用される芳香消臭剤がその一例として挙げられる。
【００３０】
このスプレー装置１のスプレー本体１１は、円筒容器状に形成されており、その天面には、上方に膨出した膨出部１２が形成されている。該膨出部１２の中央からは、円筒状のノズル１３が上方へ向けて延出しており、該ノズル１３は、当該スプレー本体１１側へ後退操作された際に当該スプレー本体１１内に収容された液状薬剤を先端から噴霧するプッシュダウンタイプのバルブを介して前記スプレー本体１１内に連通している。このスプレー本体１１の上部には、前記ノズル１３を包囲するキャップ１４が固定されており、前記ノズル１３の不用意な操作が防止されるように構成されている。
【００３１】
このキャップ１４は、前記スプレー本体１１上縁の外折返部２１に外嵌する側面を構成する外周壁２２と、該外周壁２２の内側に設けられた内円筒部２３とを備えている。前記キャップ１４の天面２４には、図２にも示すように、噴霧穴２５が設けられており、該噴霧穴２５は、前記内円筒部２３に連通している。前記天面２４からは、図２の（ｂ）に示したように、前記内円筒部２３に沿って延在するフランジ部２６と、前記噴霧穴２５の開口縁部より延出した延出片２７が設けられており、前記内円筒部２３には、中心部へ向かって延出したリブ２８が突設されている。
【００３２】
前記外周壁２２には、図２の（ａ）に示したように、壁面に取り付ける為の壁掛け部３１が設けられている。この壁掛け部３１の逆側には、図３にも示すように、前記天面２４から下方へ向かうに従って外側に傾斜した傾斜面３２が形成されおり、該傾斜面３２の中央部には、上下に延在する長方形状の取付凹部３３が凹設されている。該取付凹部３３の奥面３４は、前記内円筒部２３の一部を構成しており、この奥面３４には、上下に延在する縦長穴３５と該縦長穴３５の上部に連続した挿通穴としての横長穴３６とからなる取付穴３７が開設されている。
【００３３】
この奥面３４と前記傾斜面３２との間には、図２の（ｂ）に示したように、両者を連設する三角形状の連設壁４１が形成されており、この連設壁４１は、前記取付凹部３３の下縁より下側まで延長されている。この延長部４２の手前側には、矩形状の段部４３が対向する延長部４２側へ向けて突設されており、該段部４３の下端は、連結片４４によって前記内円筒部２３に連結されている。これにより、前記連結片４４と前記連設壁４１との間には、矩形状の軸支穴４５が設けられており、該軸支穴４５は、前記各連設壁４１の下部に対向して設けられている。
【００３４】
前記内円筒部２３の下部には、図１に示したように、内嵌部材５１が内嵌した状態で固定されている。該内嵌部材は、図４にも示すように、円筒状の基部５２を備えており、該基部５２の先端側には、前記内円筒部２３に内嵌される小径部５３が形成されている。前記基部５２の基端側には、前記小径部５３より大径の大径部５４が形成されており、該大径部５４は、図１に示したように、前記スプレー本体１１の膨出部１２上縁の内折返部５５を内嵌した状態で固定できるように構成されている。
【００３５】
前記基部５２の上縁には、噴出ノズル６１が支持板６２を介して支持されており、前記噴出ノズル６１は、当該内嵌部材５１の前記基部５２を介して前記キャップ１４に支持されている。前記支持板６２と前記基部５２との間には、該基部５２の内縁に沿って延在する溝が形成されており、前記噴出ノズル６１は、前記キャップ１４への支持点６３が薄肉に形成されている。これにより、前記噴出ノズル６１は、前記薄肉部を中心として、その軸方向である図中上下方向へ揺動可能支持されている。
【００３６】
この噴出ノズル６１の中央部には、前記液状薬剤を案内する為の円筒状のノズル部６４が一体形成されており、該ノズル部６４の基端には、図１に示したように、前記スプレー本体１１より延出した前記ノズル１３の先端部が挿入される挿入部６５が形成されている。該挿入部６５は、図４の（ｂ）に示したように、大径穴で構成されており、その奥部には、前記ノズル１３の先端が当接する段部６６が形成されている。
【００３７】
前記ノズル部６４は、前記キャップ１４の天面２４に設けられた前記噴霧穴２５へ向けて延出しており、前記ノズル１３より噴出された液状薬剤を前記ノズル部６４を介して前記噴霧穴２５から上方へ向けて噴霧できるように構成されている。
【００３８】
前記ノズル部６４の基端部には、前記支持板６２と逆側に延出する二股延出部７１が一体形成されており、該二股延出部７１は二股に形成されている。この二股延出部７１の先端には、揺動可能に支持された当該噴出ノズル６１の自由端部を構成しており、この二股延出部７１の先端には円柱部７２が架橋されている。
【００３９】
これにより、前記噴出ノズル６１に設定された前記キャップ１４への前記支持点６３と、前記二股延出部７１の先端部が構成する自由端部との中途部には、前記ノズル部６４が設けられており、該ノズル部６４を境とした図中右方側が自由端部を構成し、該自由端部と逆側に前記支持点６３が設定されている。
【００４０】
そして、前記二股延出部７１の先端側に位置する前記基部５２の小径部５３の部位には、切欠部７４が形成されている。
【００４１】
前記キャップ１４の前記傾斜面３２には、図１に示したように、操作ボタン８１が取り付けられている。該操作ボタン８１は、図５及び図６にに示すように、前記キャップ１４の外側に配置されるハート形板状の操作部８２と、該操作部８２の裏面８３に突設され前記キャップ１４内へ延出したレバー部８４とによって構成されている。
【００４２】
該レバー部８４は、図５の（ａ）及び図６に示したように、前記操作部８２の中央部から下方へ延出した縦板部８５と、該縦板部８５の上縁に一体形成された横板部８６とからなり、該横板部８６の奥側には、前記キャップ１４に設けられた前記取付穴３７の前記横長穴３６に挿入された状態で、該横長穴３６の左右の縁に当接する抜け止め８７，８７が突設されている。
【００４３】
前記縦板部８５の後部には、図６に示したように、下方へ延長されてなる下方延長部９１が一体形成されている。この下方延長部９１の手前側の角部には、側方へ延出した円柱状の軸部９２が一体形成されており、当該操作ボタン８１を前記キャップ１４に取り付けた際に、図１に示したように、前記軸部９２が前記キャップ１４の前記連結片４４と前記連設壁４１との間に形成された前記軸支穴４５に遊嵌された状態で回動自在に支持されるように構成されている。これにより、前記レバー部８４に形成された前記軸部９２は、当該操作ボタン８１を前記キャップ１４に回動自在に支持する支点を構成している。
【００４４】
また、前記下方延長部９１の奥側には、円弧状の係合部９３が切欠されており、該係合部９３は、当該操作ボタン８１を前記キャップ１４に取り付けた状態で、該キャップ１４内の内嵌部材５１に設けられた前記二股延出部７１間の前記円柱部７２に上方から嵌合するように構成されている。前記係合部９３は、前記キャップ１４に支持された前記噴出ノズル６１の自由端部に係合するように構成されており、前記支点を構成する前記軸部９２を境とした一方側に前記操作部８２が、また前記軸部９２を境とする他方側に前記係合部９３が設けられている。
【００４５】
これにより、前記操作ボタン８１を前記キャップ１４に取り付けた状態において、該キャップ１４の側面に突設した前記操作部８２を側方から前記キャップ１４側へ後退するように押操作した際に、当該操作ボタン８１が前記軸部９２を中心に回動し、前記下方延長部９１の前記係合部９３が嵌合した前記噴出ノズル６１の自由端部に設けられた前記円柱部７２を前記スプレー本体１１側へ押し下げるように構成されている。
【００４６】
このとき、当該噴出ノズル６１を前記基部５２に支持する前記支持板６２が前記支持点６３を中心として下方へ弾性変形することで、当該支持板６２に設けられたノズル部６４を下方へ押し下げ、これにより該ノズル部６４が前記スプレー本体１１の前記ノズル１３をスプレー本体１１側へ後退させる方向へ押圧操作することによって、該ノズル１３から噴出された前記スプレー本体１１内の液状薬剤を前記ノズル部６４で案内して、その先端から上方へ向けて噴出できるように構成されている。
【００４７】
このように、当該スプレー装置１には、前記操作ボタン８１の操作部８２を押操作する操作力を前記ノズル１３を前記スプレー本体１１側へ後退させる力に方向転換する方向転換部が構成されている。
【００４８】
また、前記操作ボタン８１の前記操作部８２の中央部には、図５の（ｂ）に示したように、正方形状の矩形穴１０１が開設されており、その中央部に前記レバー部８４の前記縦板部８５が配置されている。前記操作ボタン８１の表面１０２には、対を成す円形の上凹部１０３，１０３及び下凹部１０４，１０４が上下に離間して前記矩形穴１０１の両側にそれぞれ凹設されており、前記矩形穴１０１の下部には、前記縦板部８５に平行して延在する一対のガイド溝１０５，１０５が形成されている。
【００４９】
前記矩形穴１０１には、図１に示したように、スライド操作部としてのスライドボタン１１１が取り付けられており、該スライドボタン１１１は、図７及び図８にも示すように、ハート形板状のスライド部１１２と、該スライド部１１２の裏面１１３より延出した延出部１１４とによって構成されている。
【００５０】
この延出部１１４は、図８の（ａ）にも示すように、離間して設けられた一対の挟持部１２１，１２１によって構成されており、当該延出部１２１，１２１を前記操作ボタン８１の前記矩形穴１０１に挿入した状態で、両挟持部１２１，１２１が前記操作ボタン８１に設けられた前記レバー部８４の前記縦板部８５を両脇から挟持するように構成されている。前記挟持部１２１，１２１は、断面Ｌ字状に形成されており、両挟持部１２１，１２１の対向した対向面１２２，１２２の先端側には、対向面１２２側へ突出した突起１２３が設けられている。
【００５１】
これにより、前記両挟持部１２１，１２１で前記レバー部８４の前記縦板部８５を両脇から挟持した状態で、当該スライドボタン１１１の前記縦板部８５からの抜けが前記突起１２３，１２３によって阻止できるように構成されており、この挟持状態を維持しながら前記スライドボタン１１１を、前記縦板部８５に沿って縦方向へスライドできるように構成されている。
【００５２】
前記スライド部１１２の裏面１１３には、該裏面１１３が対向する前記操作ボタン８１の表面１０２に形成された前記ガイド溝と１０５，１０５対を成す凸部としてのレール１３１，１３１が突設されており、各レール１３１，１３１は、当該スライドボタン１１１を前記操作ボタン８１に取り付けた状態において、前記ガイド溝１０５内を移動することで、前記操作ボタン８１に対する前記スライドボタン１１１の移動方向をガイドするガイド構造を構成している。
【００５３】
また、前記スライド部１１２の裏面１１３には、前記延出部１１４の両脇に円形の凸部１４１，１４１が突設されており、前記各凸部１４１，１４１は、前記操作ボタン８１の表面１０２に設けられた対応する凹部１０３，１０３，１０４，１０４と係合するように構成されている。これにより、前記操作ボタン８１に対して前記スライドボタン１１１をスライド操作した際に、前記凸部１４１，１４１が上凹部１０３，１０３又は下凹部１０４，１０４と係合することで、クリック感が得られるように構成されている。
【００５４】
そして、前記スライドボタン１１１を前記操作ボタン８１に対してスライドして前記凸部１４１，１４１を前記下凹部１０４，１０４に係合した状態では、図２及び図３に示したように、前記延出部１１４の前記両挟持部１２１，１２１先端が前記キャップ１４の前記取付凹部３３を構成する前記奥面３４に対向したロック位置１５１に配置されるように構成されており、この状態で、前記操作ボタン８１の操作部８２を押操作しても、前記延出部１１４の前記両挟持部１２１，１２１先端が前記キャップ１４の前記奥面３４に当接することによって、当該操作ボタン８１を操作できない前記ロック状態１５２が形成されるように構成されている。
【００５５】
また、前記スライドボタン１１１を前記操作ボタン８１に対してスライドして前記凸部１４１，１４１を前記上凹部１０３，１０３に係合した状態では、前記延出部１１４の前記両挟持部１２１，１２１先端が前記キャップ１４の前記奥面３４に形成された前記取付穴３７の前記横長穴３６に配置されたアンロック位置１６１に配置されるように構成されており、この状態で、前記操作ボタン８１の前記操作部８２を押操作した際には、前記延出部１１４の前記両挟持部１２１，１２１先端が前記横長穴３６を挿通することによって、当該操作ボタン８１の押操作を可能としたアンロック状態１６２が形成されるように構成されている。
【００５６】
これにより、前記操作ボタン８１に対して前記スライドボタン１１１を下方へスライドした際に前記操作ボタン８１の押操作を阻止した前記ロック状態１５２を形成するとともに、前記スライドボタン１１１を上方へスライドした際に前記アンロック状態１６２を形成するロック機構１７１が構成されている。
【００５７】
以上の構成にかかる本実施の形態において、前記キャップ１４の側部に突出した操作ボタン８１を側方から押操作した際には、前記方向転換部によって、その操作力を、前記ノズル１３を前記スプレー本体１１側へ後退させる力に方向転換することができる。
【００５８】
具体的に説明すると、前記キャップ１４の外側に配置された前記操作ボタン８１の前記操作部８２を、図１中右方から前記キャップ１４側へ向けて左方へ押操作すると、前記操作ボタン８１の前記レバー部８４が前記キャップ１４に支持された軸部９２が構成する支点を中心に図１中半時計回りに回動する。
【００５９】
このとき、前記操作部８２は、前記軸部９２を境とする図１中右方側に設けられており、前記軸部９２の図１中左方側には、前記キャップ１４に支持された前記噴出ノズル６１自由端部の円柱部７２に上方から嵌合する係合部９３が設けられている。
【００６０】
このため、前記レバー部８４の前記軸部９２を中心とした回動に伴って、前記係合部９３が前記噴出ノズル６１の前記自由端部を前記スプレー本体１１側へ変位させる。これにより、該スプレー本体１１より延出した前記ノズル１３を当該スプレー本体１１側へ後退し、該スプレー本体１１から薬剤を噴出することができる。
【００６１】
このように、前記操作ボタン８１を押操作した際の操作力によって、前記ノズル１３を後退させることができるので、前記ノズル１３を軸方向に後退した際に薬剤を噴出する一般的なプッシュダウンタイプのバルブを備えたスプレー本体１１を使用することができる。
【００６２】
したがって、ノズルが傾倒された際に薬剤を噴出する高価なチルトタイプのバルブを備えたスプレー本体の使用が不可欠であった従来と比較して、一般的なプッシュダウンタイプのバルブを備えたスプレー本体１１を使用することができ、低コスト化を図ることができる。
【００６３】
なお、本実施の形態では、前記噴出ノズル６１の前記ノズル部６４を前記スプレー本体１１側へ変位させると同時に傾倒することもできる。このため、当該噴出ノズル６１を支持した支持点６３から前記ノズル部６４までの距離を設計変更して該ノズル部６４の傾斜角度を調整することで、ノズル１３が傾倒された際に薬剤を噴出するチルトタイプのバルブを備えたスプレー本体も使用することができる。
【００６４】
そして、前記噴出ノズル６１には、前記キャップ１４への支持点６３と前記円柱部７２が設けられた自由端部との中途部に前記薬剤を案内する前記ノズル部６４が設けられており、このノズル部６４で前記液状薬剤を案内することで、前記キャップ１４天面２４の前記噴霧穴２５から前記液状薬剤を噴出することができる。
【００６５】
このとき、前記操作ボタン８１の前記レバー部８４で操作される前記噴出ノズル６１の前記自由端部は、前記ノズル部６４を境とした前記操作部２側（図１中右側）に設定されており、この自由端部と逆側（図１中左側）に前記キャップ１４に支持された前記支持点６３が設定されている。このため、前記操作ボタン８１を操作して前記自由端部を前記スプレー本体１１側へ変位させた際には、前記ノズル部６１を前記操作部８２側へ傾倒することができる。
【００６６】
このように、プッシュダウンタイプのバルブを備えたスプレー本体１１を使用した場合であっても、前記ノズル部６４を前記操作部８２側に傾倒することによって、液状薬剤を前記操作部８２側へ傾斜した斜め上方へ噴出することができる。
【００６７】
したがって、当該スプレー装置１を壁面に設置した場合には、前記液状薬剤の壁面への吹き付けを防止することができるとともに、空間に効率よく薬剤を噴霧させることができる。
【図面の簡単な説明】
【００６８】
【図１】本発明の一実施の形態を示す要部の断面図である。
【図２】同実施の形態のキャップを示す図で、（ａ）は平面図であり、（ｂ）は要部の断面図である。
【図３】同実施の形態のキャップを示す正面図である。
【図４】同実施の形態の内嵌部材を示す図で、（ａ）は平面図であり、（ｂ）は要部の断面図である。
【図５】同実施の形態の操作ボタンを示す図で、（ａ）は背面図であり、（ｂ）は正面図である。
【図６】同実施の形態の操作ボタンを示す側面図である。
【図７】同実施の形態のスライドボタンを示す図で、（ａ）は背面図であり、（ｂ）は正面図である。
【図８】同実施の形態のスライドボタンを示す図で、（ａ）は平面図であり、（ｂ）は要部の断面図である。
【符号の説明】
【００６９】
１    スプレー装置
１１    スプレー本体
１３    ノズル
１４    キャップ
６１    噴出ノズル
６３    支持点
６４    ノズル部
８１    操作ボタン
８２    操作部
８４    レバー部
９２    軸部
９３    係合部
【図１】
2008136889.tif 000003
【図２】
2008136889.tif 000004
【図３】
2008136889.tif 000005
【図４】
2008136889.tif 000006
【図５】
2008136889.tif 000007
【図６】
2008136889.tif 000008
【図７】
2008136889.tif 000009
【図８】
2008136889.tif 000010